(57)【要約】      （修正有）【課題】外部からハウジング内への水等の侵入を抑えることができるモータを提供する。【解決手段】モータ１０は、筒状で、軸方向一方の端部に開口１２を有するとともに、開口の内周面に雌ネジ部１５を有するハウジング１１と、ハウジングの径方向の内側に設けられたステータ２０と、ステータの径方向内側に設けられるロータ３０と、ハウジングに支持され、ロータを支持するベアリング３５とを有する。ハウジングから径方向内側に延出し、ベアリングに対して軸方向の他方の側から突き当たるベアリング保持部１４と、ハウジングの開口に設けられ、外周面に雌ネジ部に締結する雄ネジ部４５を有し、ベアリングを軸方向他方の側に向かって押さえる押さえ部材４０と、ハウジングの雌ネジ部と押さえ部材の雄ネジ部との間に設けられた封止材７０と、を有する。【選択図】図４
2019176668.tif 000002
【特許請求の範囲】
【請求項１】
筒状で、軸方向一方の端部に開口を有するとともに、前記開口の内周面に雌ネジ部を有するハウジングと、
前記ハウジングの径方向の内側に設けられたステータと、
前記ステータの径方向内側に設けられ、駆動対象部材が連結されるロータと、
前記ハウジングに支持され、前記ロータを前記ロータの中心軸回りに回転自在に支持するベアリングと、
前記ハウジングから径方向内側に延出し、前記ベアリングに対して前記軸方向の他方の側から突き当たるベアリング保持部と、
前記ハウジングの前記開口に設けられ、外周面に前記雌ネジ部に締結する雄ネジ部を有し、前記ベアリングを前記軸方向他方の側に向かって押さえる押さえ部材と、
前記ハウジングの前記雌ネジ部と前記押さえ部材の前記雄ネジ部との間に設けられた封止材と、
を有する、
モータ。
【請求項２】
前記雌ネジ部の内径、及び前記雄ネジ部の外径は、前記ベアリング保持部の内径よりも大きく、
前記ハウジングの前記雌ネジ部と前記押さえ部材の前記雄ネジ部が互いに締結する部分に対し、前記軸方向の他方の側に空間部が設けられる、
請求項１に記載のモータ。
【請求項３】
前記封止材は、嫌気性の樹脂又は接着剤である、
請求項１又は２に記載のモータ。
【請求項４】
前記押さえ部材は、前記開口を閉塞する、
請求項１〜３の何れか一項に記載のモータ。
【請求項５】
前記ハウジングの内周縁と前記押さえ部材の外周縁とは、周方向の少なくとも一部で溶接されている、
請求項１〜４の何れか一項に記載のモータ。
【請求項６】
前記ハウジングと前記押さえ部材とが、アルミニウム合金からなる、
請求項１〜５の何れか一項に記載のモータ。
【請求項７】
前記ベアリングは、外輪と、前記外輪の径方向内側に設けられた内輪と、前記外輪と前記内輪との間に設けられた複数のボールと、を備えるボールベアリングであり、
前記外輪は、前記ベアリング保持部と前記押さえ部材とに前記軸方向で突き当たる、
請求項１〜６の何れか一項に記載のモータ。
【発明の詳細な説明】
【技術分野】
【０００１】
本発明は、モータに関する。
【背景技術】
【０００２】
従来、モータの中には、ベアリングを、ハウジングとリングなどの固定部材を用いて保持するものがある。例えば、特許文献１、２には、モータのロータを回転自在に支持するベアリング（軸受）を、ハウジングとリング部材とによって軸方向両側で挟持する構成が開示されている。この構成において、リング部材はボルトによりハウジングに固定され、ベアリングを押さえる。
【先行技術文献】
【特許文献】
【０００３】
【特許文献１】特開平４−１９７０５７号公報
【特許文献２】特開平９−３３１６４６号公報
【発明の概要】
【発明が解決しようとする課題】
【０００４】
上記のようなモータにおいて、リング部材をハウジングに固定するボルトは、ハウジングに設けられた雌ネジ孔にねじ込まれる。このような構成では、ボルトの雄ネジ部と雌ネジ孔との隙間を通して、ハウジングの外部から水等が侵入する虞がある。
【０００５】
本発明は、上記事情に鑑みて、外部からハウジング内への水等の侵入を抑えることができるモータを提供することを目的の一つとする。
【課題を解決するための手段】
【０００６】
本発明のモータの一つの態様は、筒状で、軸方向一方の端部に開口を有するとともに、前記開口の内周面に雌ネジ部を有するハウジングと、前記ハウジングの径方向の内側に設けられたステータと、前記ステータの径方向内側に設けられ、駆動対象部材が連結されるロータと、前記ハウジングに支持され、前記ロータを前記ロータの中心軸回りに回転自在に支持するベアリングと、前記ハウジングから径方向内側に延出し、前記ベアリングに対して前記軸方向の他方の側から突き当たるベアリング保持部と、前記ハウジングの前記開口に設けられ、外周面に前記雌ネジ部に締結する雄ネジ部を有し、前記ベアリングを前記軸方向他方の側に向かって押さえる押さえ部材と、前記ハウジングの前記雌ネジ部と前記押さえ部材の前記雄ネジ部との間に設けられた封止材と、を有する。
【発明の効果】
【０００７】
本発明の一つの態様によれば、外部からハウジング内への水等の侵入を抑えることができるモータが提供される。
【図面の簡単な説明】
【０００８】
【図１】図１は、一実施形態のモータの断面図である。
【図２】図２は、一実施形態のモータの外観を示す斜視図である。
【図３】図３は、一実施形態のモータの押さえ部材をハウジングから取り外した状態を示す斜視図である。
【図４】図４は、一実施形態のモータの要部の構成を示す断面図である。
【図５】図５は、一実施形態の変形例におけるモータの外観を示す斜視図である。
【発明を実施するための形態】
【０００９】
図１は、一実施形態のモータの断面図である。図２は、本実施形態のモータの外観を示す斜視図である。図３は、本実施形態のモータの押さえ部材をハウジングから取り外した状態を示す斜視図である。図４は、本実施形態のモータの要部の構成を示す断面図である。
図１に示す様に、モータ１０は、ハウジング１１と、ステータ２０と、ロータ３０と、ベアリング３５と、フランジ部（ベアリング保持部）１４と、押さえ部材４０と、を備える。
【００１０】
ハウジング１１は、円筒状をなした筒状部１１ａと、筒状部１１ａの中心軸Ｊに沿った軸方向の一方（図１において右方）の端部において筒状部１１ａから径方向内側に延びる端板部１１ｂと、を有する。ハウジング１１の筒状部１１ａの軸方向の他方（図１において左方）の端部１１ｃは、モータ１０で駆動する駆動対象となる装置等に接続される。筒状部１１ａの端部１１ｃは、駆動対象部材１００を備える装置に向かって開口する。図２に示す様に、筒状部１１ａの端部１１ｃには、駆動対象となる装置等にハウジング１１を接続するため、中心軸Ｊに対して径方向外側に延びる接続フランジ部１３が設けられる。
【００１１】
フランジ部１４は、ハウジング１１の筒状部１１ａの内周面から径方向内側に延出する。フランジ部１４は、後述するベアリング３５に対し、軸方向の他方の側に配置される。このフランジ部１４は、中心軸Ｊ周りの周方向に連続してもよいし、周方向の一部に間欠的に設けてもよい。
【００１２】
図３に示す様に、ハウジング１１は、端板部１１ｂの中央部に設けられた開口１２を有する。開口１２の内周面には、雌ネジ部１５が設けられる。
【００１３】
図１に示す様に、ステータ２０は、ハウジング１１の筒状部１１ａの内側に設けられる。ステータ２０は、ロータ３０の中心軸Ｊを中心とする径方向の外側に位置する。ステータ２０は、ステータコア２１と、ティース部２２と、コイル２３と、を主に備える。
【００１４】
ステータコア２１は、筒状部１１ａの内周面に設けられる。ステータコア２１は、円環状の鋼板を軸方向に複数積層することで、全体として筒状に構成される。ティース部２２は、ステータコア２１の径方向に内側に設けられる。
【００１５】
ティース部２２は、中心軸Ｊ周りの周方向に等間隔をあけて設けられた複数のティース２２ａを有する。コイル２３は、樹脂などの絶縁材料を介してティース２２ａに巻き回される。
【００１６】
ハウジング１１の筒状部１１ａの端部１１ｃ側には、複数のコイル２３に電気的に接続されたバスバー２４が設けられる。バスバー２４には、ハウジング１１の外部に延出する接続端子２５が設けられる。バスバー２４及び接続端子２５は、ステータ２０の各相に対応して、例えば３組が設けられる。各接続端子２５には、外部からモータ１０に電力を供給する配線（図示無し）が接続される。
【００１７】
ロータ３０は、ステータ２０の径方向内側に設けられる。ロータ３０は、ロータ本体３１と、永久磁石３２と、ロータカバー３３と、を備える。
【００１８】
ロータ本体３１は、軸方向に延びる筒状の筒状体３１ａと、筒状体３１ａの軸方向の一方の端部において、筒状部１１ａから径方向内側に延びる端板３１ｂと、端板３１ｂの中央部に設けられ、軸方向の一方の側に突出した円柱状のボス部３１ｃと、を有する。ロータ本体３１は、軸方向他方の側に向かって開口する接続凹部３１ｓを有する。接続凹部３１ｓには、モータ１０で回転駆動する駆動対象部材１００が接続される。
【００１９】
また、筒状体３１ａの軸方向の他方の端部には、円筒状のヨーク３４が設けられる。
【００２０】
永久磁石３２は、筒状体３１ａの外周面に、中心軸Ｊ周りの周方向に等間隔で複数個が設けられる。
ロータカバー３３は、円筒状をなし、ロータ本体３１の筒状体３１ａ及び複数の永久磁石３２を径方向外側から覆うように設けられる。なお、永久磁石３２は、環状であってもよいまた、ロータ本体３１が積層鋼板である場合には、複数の永久磁石３２は、ロータ本体３１に埋め込まれてもよい。
【００２１】
ベアリング３５は、ロータ本体３１のボス部３１ｃの径方向外側に設けられる。ベアリング３５は、ボールベアリングであり、円環状の外輪３５ａと、外輪３５ａの径方向内側に設けられた円環状の内輪３５ｂと、外輪３５ａと内輪３５ｂとの間に設けられた複数のボール３５ｃと、を備える。ベアリング３５の内輪３５ｂは、ロータ３０のボス部３１ｃの外周面に嵌合される。ベアリング３５の外輪３５ａは、後述するフランジ部１４と押さえ部材４０とによって軸方向両側から挟持されることで、ハウジング１１に固定される。これにより、ベアリング３５は、ロータ３０を中心軸Ｊ周りに回転自在に支持する。ベアリング３５は、例えば、軸受用の鋼材（鉄系合金）からなる。
【００２２】
図３、図４に示す様に、ハウジング１１の開口１２には、軸方向の他方の側に窪む凹部１６が設けられる。ベアリング３５は、凹部１６内に収容される。これにより、フランジ部１４は、凹部１６内のベアリング３５に対し、軸方向の他方の側に配置される。フランジ部１４は、ベアリング３５の外輪３５ａに対し、軸方向の他方の側から突き当たる。
【００２３】
押さえ部材４０は、ハウジング１１の開口１２に設けられる。押さえ部材４０は、開口１２を閉塞する。押さえ部材４０は、外周面に雌ネジ部１５に締結される雄ネジ部４５を有する。図４に示す様に、押さえ部材４０は、雄ネジ部４５を雌ネジ部１５に締結することで開口１２に装着され、ベアリング３５を軸方向の他方の側に向かって押さえる。これにより、ベアリング３５は、軸方向一方の側に設けられた押さえ部材４０と、軸方向他方の側に設けられたフランジ部１４とによって、軸方向両側から挟持される。
【００２４】
開口１２の雌ネジ部１５の内径、及び押さえ部材４０の雄ネジ部４５の外径は、フランジ部１４の内径よりも大きい。
【００２５】
押さえ部材４０の外周面には、軸方向の他方の側に、雄ネジ部４５よりも外径が小さい縮径部４６が設けられる。また、雄ネジ部４５と縮径部４６との間には、軸方向に直交する直交面４７が設けられる。また、押さえ部材４０において、軸方向他方の側の中央部には、軸方向一方の側に窪む逃げ凹部４８が設けられる。
このような押さえ部材４０において、縮径部４６の外径は、凹部１６の内径及びベアリング３５の外輪３５ａの外径と同等である。逃げ凹部４８の内径は、ベアリング３５の外輪３５ａの内径以上である。これにより、押さえ部材４０は、縮径部４６の軸方向の他方の側の先端部４６ｓがベアリング３５の外輪３５ａに軸方向から突き当たる。
【００２６】
雄ネジ部４５を雌ネジ部１５に締結して押さえ部材４０を開口１２に装着した状態で、開口１２の内周面（雌ネジ部１５）と、開口１２の底面１２ｂと、押さえ部材４０の縮径部４６の外周面と、直交面４７との間には、空間部８０が構成される。
【００２７】
図２に示すように、押さえ部材４０は、回転拘束部５０により、開口１２の内側で回転して雄ネジ部４５が雌ネジ部１５から緩むことが拘束される。回転拘束部５０は、少なくとも１つのかしめ部５１からなる。かしめ部５１は、押さえ部材４０の外周縁と開口１２の内周縁との境界部に設けられる。本実施形態において、かしめ部５１は、押さえ部材４０の外周縁と開口１２の内周縁との境界部に、周方向に等間隔をあけた４個所に設けられる。各かしめ部５１は、例えば、ポンチ等の工具を、押さえ部材４０の外周縁と開口１２の内周縁とを跨ぐように当て、ハンマーやプレス機等で打撃することで設けられる。
【００２８】
かしめ部５１は、凸部５１ａと、凹部５１ｂと、を有する。凸部５１ａは、押さえ部材４０の外周縁に設けられる。凸部５１ａは、開口１２の内周縁の他方に向かって径方向に突出する。凹部５１ｂは、開口１２の内周縁に設けられる。凹部５１ｂは、押さえ部材４０の外周縁に向かって窪む。凹部５１ｂには、凸部５１ａの少なくとも一部が収容される。このように、押さえ部材４０側の凸部５１ａが開口１２側の凹部５１ｂに収容されることで、押さえ部材４０が開口１２の内側で回転することが拘束される。なお、かしめ部５１は、押さえ部材４０側に凹部５１ｂを設け、開口１２側に凸部５１ａを設けるようにしても良い。
【００２９】
本実施形態において、ハウジング１１、押さえ部材４０は、それぞれアルミニウム合金からなる。これにより、ハウジング１１の材料の線膨張係数が、押さえ部材４０の材料の線膨張係数と近くなる。このため、熱膨張・熱収縮により、押さえ部材４０が緩むのを抑えることができる。
【００３０】
押さえ部材４０の表面には、押さえ部材４０を構成する母材の材料（アルミニウム合金）よりも硬い材料からなる被膜６１が設けられる。被膜６１は、押さえ部材４０において、少なくともベアリング３５に軸方向で突き当たる部分に設けられていればよい。また、被膜６１は、押さえ部材４０において、少なくともベアリング３５に軸方向で突き当たる面の全体に設けられていてもよい。被膜６１は、押さえ部材４０の全体の表面を覆ってもよい。このような被膜６１としては、例えば、アルマイト処理により形成された酸化アルミニウム被膜が好適である。また、被膜６１として、ＤＬＣ（ダイアモンドライクカーボン）を用いてもよい。このような被膜６１は、押さえ部材４０を構成する母材（アルミニウム合金）よりも摩擦係数が低いのが好ましい。
【００３１】
また、ハウジング１１の雌ネジ部１５と押さえ部材４０の雄ネジ部４５との間には、封止材７０が設けられる。封止材７０としては、嫌気性の樹脂又はシール剤（接着剤）等が好適である。
前記の空間部８０は、ハウジング１１の雌ネジ部１５と押さえ部材４０の雄ネジ部４５との間から封止材７０がはみ出した場合に、はみ出した封止材７０を受け入れることができる。なお、封止材７０は、上述のものに限られず、熱硬化型の樹脂などであってもよく、特に限定されるものではない。
【００３２】
このようなモータ１０は、外部の発電機等から接続端子２５を介して電流が供給される。供給された電流は、バスバー２４を介してコイル２３に供給され、コイル２３が磁界（交番磁界）を発生する。コイル２３で発生した磁界とロータ３０の永久磁石３２の磁界との相互作用により、ロータ３０のロータ本体３１が中心軸Ｊ周りに回転駆動される。
【００３３】
図１に示す様に、モータ１０のロータ本体３１には、駆動対象部材１００が接続される。本実施形態において、駆動対象部材１００として、ボールネジ１０１の端部がロータ本体３１に接続される。ボールネジ１０１は、外周面に螺旋状の溝１０１ａが設けられる。ボールネジ１０１の径方向外側には、スライド部材１０２が設けられる。スライド部材１０２は、筒状で、その内周面に螺旋状の溝１０２ａを有する。ボールネジ１０１の溝１０１ａとスライド部材１０２の溝１０２ａとの螺旋状の空間には、複数のボール１０３が介在する。モータ１０によりボールネジ１０１を中心軸Ｊ周りに回転駆動させると、スライド部材１０２が軸方向に沿ってスライドする。このスライド部材１０２のスライドにより、駆動対象部材１００は軸方向に沿った駆動力を発揮する。
【００３４】
上記のように、スライド部材１０２が軸方向にスライドし、軸方向に沿った駆動力を発揮すると、駆動対象からの反力がスライド部材１０２に入力される。スライド部材１０２に入力された軸方向の反力は、ボール１０３、ボールネジ１０１、ロータ本体３１を介して、ベアリング３５に伝達される。
例えば、スライド部材１０２がロータ本体３１から中心軸Ｊに沿ってロータ本体３１から離間する方向にスライドする場合、反力Ｆ１は、ベアリング３５を押さえ部材４０側に押圧する。また、スライド部材１０２がロータ本体３１から中心軸Ｊに沿ってロータ本体３１に接近する方向にスライドする場合、反力Ｆ２は、ベアリング３５をフランジ部１４側に押圧する。
【００３５】
押さえ部材４０が反力Ｆ１によってベアリング３５によって繰り返し押圧されても、かしめ部５１からなる回転拘束部５０によって、押さえ部材４０が開口１２から緩むのを抑える。また、ハウジング１１の雌ネジ部１５と押さえ部材４０の雄ネジ部４５との間に設けられた封止材７０によって、反力Ｆ１でベアリング３５が繰り返し押圧されることによる押さえ部材４０の緩みの発生が抑えられる。
【００３６】
また、押さえ部材４０に設けられた被膜６１により、反力Ｆ１によってベアリング３５によって繰り返し押圧されることによる押さえ部材４０の摩耗が抑えられる。また、被膜６１によって押さえ部材４０とベアリング３５との間の摩擦係数が低減されることによっても、ベアリング３５の押圧による摩耗が抑えられる。
【００３７】
本実施形態によれば、モータ１０は、外周面に雌ネジ部１５に締結される雄ネジ部４５が設けられた押さえ部材４０と、押さえ部材４０が開口１２の内側で回転するのを拘束する回転拘束部５０と、を有する。これにより、押さえ部材４０がベアリング３５から軸方向に離間する方向に緩むのを抑えることができる。したがって、緩み防止のために押さえ部材４０の締付力（軸力）を高めることなく、押さえ部材４０の緩みを防ぐことができる。これにより、押さえ部材４０の雄ネジ部４５が締結される雌ネジ部１５が設けられた開口１２（ハウジング１１）の強度を高める必要を抑え、ハウジング１１の大型化、コストの増加等を抑えることができる。その結果、ハウジング１１の大型化やコストの増加を抑えつつ、ベアリング３５を押さえる押さえ部材４０が緩むのを抑え、ベアリング３５にガタ付きが生じるのを抑えることができる。
【００３８】
本実施形態によれば、押さえ部材４０の外周縁と開口１２の内周縁との境界部に設けられた少なくとも１つのかしめ部５１により、押さえ部材４０が、開口１２の内側で回転するのを拘束される。これにより、押さえ部材４０がベアリング３５から軸方向に離間する方向に緩むのを抑えることができる。
【００３９】
本実施形態によれば、かしめ部５１は、押さえ部材４０の外周縁に設けられ、開口１２の内周縁に向かって径方向に突出する凸部５１ａと、開口１２の内周縁に設けられ、押さえ部材４０の外周縁に向かって窪み、凸部５１ａが収容される凹部５１ｂと、を有する。これにより、押さえ部材４０の外周縁と開口１２の内周縁との境界部にかしめ部５１が設けられ、押さえ部材４０がベアリング３５から軸方向に離間する方向に緩むのを抑えることができる。
【００４０】
本実施形態によれば、ハウジング１１と押さえ部材４０とが、アルミニウム合金からなり、ベアリング３５は、鉄系合金からなる。このように、押さえ部材４０がベアリング３５よりも軟らかい材料からなる場合、押さえ部材４０の摩耗が生じやすい。これに対し、ベアリング３５よりも軟らかい材料で押さえ部材４０が構成される場合であっても、回転拘束部５０によって、押さえ部材４０が開口１２から緩むのを抑えることができる。
【００４１】
本実施形態によれば、ベアリング３５の外輪３５ａは、フランジ部１４と押さえ部材４０とに軸方向で突き当たる。このような構成によれば、ベアリング３５は、軸方向でのガタ付きを抑えつつ、確実に保持される。
【００４２】
本実施形態によれば、押さえ部材４０に被膜６１が設けられる。被膜６１は、押さえ部材４０の摩耗を抑制し、ベアリング３５を押さえる押さえ部材４０が緩むのを抑え、ベアリング３５にガタ付きが生じるのを抑えることができる。
【００４３】
本実施形態によれば、被膜６１によって、押さえ部材４０の母材よりも摩擦係数が低減されることによって、ベアリング３５の押圧による摩耗が抑えられる。したがって、ベアリング３５を押さえる押さえ部材４０が緩むのを抑え、ベアリング３５にガタ付きが生じるのを抑えることができる。
【００４４】
本実施形態によれば、被膜６１は、押さえ部材４０においてベアリング３５と接触する部位を少なくとも覆う。これにより、最小限の被膜６１を設けることで、押さえ部材４０の摩耗が抑えられる。
【００４５】
本実施形態によれば、ハウジング１１の雌ネジ部１５と押さえ部材４０の雄ネジ部４５との間に、封止材７０が設けられている、これにより、雌ネジ部１５と雄ネジ部４５との間に隙間が生じた場合であっても、この隙間を通して外部からハウジング１１内に水等が侵入するのを抑えることができる。
また、封止材７０により、押さえ部材４０がベアリング３５から軸方向に離間する方向に緩むのを抑えることができる。
その結果、外部からハウジング１１内への水等の侵入を抑えるとともに、ベアリング３５を押さえる押さえ部材４０が緩むのを抑え、ベアリング３５にガタ付きが生じるのを抑えることができる。
【００４６】
本実施形態によれば、雌ネジ部１５の内径、及び雄ネジ部４５の外径は、フランジ部１４の内径よりも大きく、雌ネジ部１５と雄ネジ部４５とが互いに締結する部分に対し、軸方向の他方の側に空間部８０が設けられる。これにより、ハウジング１１の雌ネジ部１５と押さえ部材４０の雄ネジ部４５との間から封止材７０がはみ出した場合に、はみ出した封止材７０を受け入れることができる。
【００４７】
本実施形態によれば、封止材７０は、嫌気性の樹脂又はシール剤である。これにより、嫌気性の樹脂又はシール剤を、雌ネジ部１５及び雄ネジ部４５の少なくとも一方に塗布しておけば、押さえ部材４０を開口１２にねじ込んだ後に、嫌気性の樹脂又はシール剤が封止材７０としての機能を発揮する。これにより、ハウジング１１の雌ネジ部１５と押さえ部材４０の雄ネジ部４５との間に、封止材７０を容易に設けることができる。
【００４８】
本実施形態によれば、押さえ部材４０は、開口１２を閉塞する。これにより、開口１２の内側からハウジング１１内への水等の侵入を抑えることができる。
【００４９】
（変形例）
図５は、上記実施形態の変形例におけるモータの外観を示す斜視図である。本変形例のモータは、上述のモータと比較して、溶接部８１の構造のみが異なる。なお、上述の実施形態と同一態様の構成要素については、同一符号を付し、その説明を省略する。
【００５０】
図５に示す様に、押さえ部材４０は、封止材７０（図４参照）に加えて、溶接部８１を備える。溶接部８１は、押さえ部材４０の外周縁と開口１２の内周縁とが、周方向の少なくとも一部で溶接されることで設けられる。本実施形態において、溶接部８１は、押さえ部材４０の外周縁と開口１２の内周縁との境界部に沿って周方向に連続するように設けられる。
【００５１】
本変形例によれば、溶接部８１が、押さえ部材４０の外周縁と開口１２の内周縁との境界部に沿って周方向に連続するように設けられることによって、雌ネジ部１５と雄ネジ部４５との間に隙間が生じた場合であっても、この隙間を通して外部からハウジング１１内に水等が侵入するのを抑えることができる。
また、溶接部８１により、押さえ部材４０が開口１２の内側で回転することが拘束される。これにより、押さえ部材４０がベアリング３５から軸方向に離間する方向に緩むのを抑えることができる。
その結果、外部からハウジング１１内への水等の侵入を抑えるとともに、ベアリング３５を押さえる押さえ部材４０が緩むのを抑え、ベアリング３５にガタ付きが生じるのを抑えることができる。
【００５２】
以上に、本発明の一実施形態およびその変形例を説明したが、実施形態および変形例における各構成およびそれらの組み合わせ等は一例であり、本発明の趣旨から逸脱しない範囲内で、構成の付加、省略、置換およびその他の変更が可能である。また、本発明は実施形態によって限定されることはない。
【００５３】
例えば、上述した実施形態およびその変形例のモータの用途は、特に限定されない。
【００５４】
また、上述の実施形態又はその変形例において、押さえ部材４０に縮径部４６を設けることによって、ハウジング１１の開口１２と押さえ部材４０との間に空間部８０を構成したが、これに限らない。例えば、開口１２に、径方向外側に広がる空間部を構成してもよい。
【００５５】
また、上述の実施形態又はその変形例において、ベアリング３５としてボールベアリングを例示したが、これに限らない。例えば、ベアリング３５として、ニードルローラベアリング等を用いることも可能である。
【００５６】
また、上述の実施形態又はその変形例において、被膜６１を設けるようにしたが、被膜６１に代えて、ベアリング３５と押さえ部材４０との間に介在するワッシャ等の介在物を設けるようにしてもよい。
【００５７】
また、上述の実施形態又はその変形例において、被膜６１、回転拘束部５０を設けるようにしたが、これらを省略する構成としてもよい。
【符号の説明】
【００５８】
１０…モータ、１１…ハウジング、１２…開口、１４…フランジ部（ベアリング保持部）、１５…雌ネジ部、２０…ステータ、３０…ロータ、３５…ベアリング、３５ａ…外輪、３５ｂ…内輪、３５ｃ…ボール、４０…押さえ部材、４５…雄ネジ部、７０…封止材、８０…空間部、１００…駆動対象部材
【図１】
2019176668.tif 000003
【図２】
2019176668.tif 000004
【図３】
2019176668.tif 000005
【図４】
2019176668.tif 000006
【図５】
2019176668.tif 000007